(57)【要約】【課題】レバー部材の不用意な弛みを防止する。【解決手段】竿管１０に固定されるリール固定装置本体部１２Ｈには前後方向に凹部と凸部を繰り返した固定用凹凸部が設けられ、少なくとも１個の移動フードＦ１を有し、該移動フードはナット部材の回動によらずに前後に移動できるタイプであって、リール脚の先部の足部を受け入れるフード部を有する移動フード本体Ｈと、該移動フード本体に設けられた固定用爪部と、該移動フード本体に対して回動可能であって、前記固定用爪部を押し下げて前記固定用凹凸部に係合させることのできる起倒自在なレバー部材ＬＢとを具備するリール固定装置を設けた釣竿において、前記レバー部材は、その一部領域ＬＢＴにおいて前記移動フード本体に対して圧接可能であるよう構成する。【選択図】図２
2005237318.tif 000002
【特許請求の範囲】
【請求項１】
竿管に固定されるリール固定装置本体部には前後方向に凹部と凸部を繰り返した固定用凹凸部が設けられ、少なくとも１個の移動フードを有し、該移動フードはナット部材の回動によらずに前後に移動できるタイプであって、リール脚の先部の足部を受け入れるフード部を有する移動フード本体と、該移動フード本体に設けられた固定用爪部と、該移動フード本体に対して回動可能であって、前記固定用爪部を押し下げて前記固定用凹凸部に係合させることのできる起倒自在なレバー部材とを具備するリール固定装置を設けた釣竿において、前記レバー部材は、その一部領域において前記移動フード本体に対して圧接可能であることを特徴とするリール装着式釣竿。
【請求項２】
前記移動フード本体の側部外側に、移動フード本体やレバー部材の平面視幅に対して細幅の凹部又は凸部を設け、これに対応して前記レバー部材の側部内側には、前記凹部又は凸部と係合する凸部又は凹部を設けており、これらの凹凸によって圧接状態となる請求項１記載のリール装着式釣竿。
【請求項３】
前記移動フード本体には、前記フード部の内側にフード本体外皮部よりも柔軟性の高い柔軟部材を配設具備しており、該柔軟部材は前記フード本体外皮部開口縁からフード本体外皮部の厚さ方向外側に食み出ており、前記レバー部材の縁部が前記柔軟部材の食み出し部と係合圧接状態となる請求項１記載のリール装着式釣竿。
【請求項４】
前記移動フード本体には、前記フード部の内側にフード本体外皮部よりも柔軟性の高い柔軟部材を配設具備しており、該柔軟部材は前記フード本体外皮部の面に設けた孔部から凸部を突出させており、前記レバー部材には、前記柔軟部材の凸部に対応して孔部を設けており、該柔軟部材の凸部がレバー部材の孔部と係合圧接状態になる請求項１記載のリール装着式釣竿。
【請求項５】
前記柔軟部材の凸部には割りが設けられている請求項４記載のリール装着式釣竿。
【発明の詳細な説明】
【技術分野】
【０００１】
本発明はリールを装着固定する形式の釣竿に関するものである。
【背景技術】
【０００２】
リールを使用するタイプの釣竿には、リールを保持固定するためにリール固定装置を設けている。このリール固定装置には、釣竿に対して固定されるリール固定装置本体部と、対向する開口を有する１対のフードとが設けられている。この内少なくとも一方は移動式のフードであり、ナット部材によって前後に移動させられるタイプと、ナット部材によらないで移動できるタイプとがあり、何れもリール脚の先部の足部を受け入れて押し付け固定する。釣りにおいてはこのリール固定装置に様々な力が作用するため、不用意に移動フードが弛むことがある。この弛みを、移動フードに設けた弾性体のクリック音によって検知しようとする本出願人による構造が、下記特許文献１に開示されている。また、下記特許文献２には、可動駒（移動フード）側の係止爪を、リールシート本体に設けた凹凸条と係合させるために押し下げる係止片（レバー部材）に設けた係止突起を、リールシート本体の係止孔に係合させて可動駒の弛み止めを行う構造が開示されている。
【特許文献１】特開２００１−８５８５号公報
【特許文献２】特開昭５５−６１７４５号公報
【発明の開示】
【発明が解決しようとする課題】
【０００３】
両文献共、移動フードの不用意な後方移動を報知したり、不用意な後方への移動を防止したりし、前後方向の動きに関するものであるが、係止爪を押圧しているレバー部材の不用意な弛み、即ち、移動フード本体から離れる方向である上方への（僅かな回転）移動を防止するものではない。釣りにおいてはリール固定装置に様々な力が作用し、釣竿操作中の手がレバー部材に不用意に接触して該レバー部材が上方に起き、移動フードが弛むことがある。
従って解決しようとする課題は、レバー部材の不用意な弛み（上方移動）を防止することである。
【課題を解決するための手段】
【０００４】
本発明の請求項１では、竿管に固定されるリール固定装置本体部には前後方向に凹部と凸部を繰り返した固定用凹凸部が設けられ、少なくとも１個の移動フードを有し、該移動フードはナット部材の回動によらずに前後に移動できるタイプであって、リール脚の先部の足部を受け入れるフード部を有する移動フード本体と、該移動フード本体に設けられた固定用爪部と、該移動フード本体に対して回動可能であって、前記固定用爪部を押し下げて前記固定用凹凸部に係合させることのできる起倒自在なレバー部材とを具備するリール固定装置を設けた釣竿において、前記レバー部材は、その一部領域において前記移動フード本体に対して圧接可能であることを特徴とするリール装着式釣竿を提供する。
一部領域とは、幅の狭い線状や複数個の点状に並んだ部分領域であったり等である。
【０００５】
請求項２では、前記移動フード本体の側部外側に、移動フード本体やレバー部材の平面視幅に対して細幅の凹部又は凸部を設け、これに対応して前記レバー部材の側部内側には、前記凹部又は凸部と係合する凸部又は凹部を設けており、これらの凹凸によって圧接状態となる請求項１記載のリール装着式釣竿を提供する。
【０００６】
請求項３では、前記移動フード本体には、前記フード部の内側にフード本体外皮部よりも柔軟性の高い柔軟部材を配設具備しており、該柔軟部材は前記フード本体外皮部開口縁からフード本体外皮部の厚さ方向外側に食み出ており、前記レバー部材の縁部が前記柔軟部材の食み出し部と係合圧接状態となる請求項１記載のリール装着式釣竿を提供する。フード部外皮が金属製であれば、通常の合成樹脂は柔軟部材となり得、フード部外皮が合成樹脂製であれば、柔軟部材にはより柔らかな特性の合成樹脂やゴム系部材が用いられる。
【０００７】
請求項４では、前記移動フード本体には、前記フード部の内側にフード本体外皮部よりも柔軟性の高い柔軟部材を配設具備しており、該柔軟部材は前記フード本体外皮部の面に設けた孔部から凸部を突出させており、前記レバー部材には、前記柔軟部材の凸部に対応して孔部を設けており、該柔軟部材の凸部がレバー部材の孔部と係合圧接状態になる請求項１記載のリール装着式釣竿を提供する。柔軟部材については請求項３と同様である。
請求項５では、前記柔軟部材の凸部には割りが設けられている請求項４記載のリール装着式釣竿を提供する。
【発明の効果】
【０００８】
本発明の請求項１では、レバー部材がその一部領域において移動フード本体に対して圧接可能であるため、レバー部材が倒されて（下方に移動して）移動フードを固定した場合に、移動フード本体に対して圧接力によってしっかりと保持されるため、レバー部材が不用意に外れる（上方移動する）ことが防止され、延いては移動フードの不用意な弛みが防止できる。
【０００９】
請求項２では、移動フード本体とレバー部材との側部間に細幅凹部と凸部の係合によって圧接する形態であり、請求項３では、柔軟部材の食み出し部がレバー部材の縁部と係合して圧接する形態であり、請求項４では、フード本体外皮部面から突出した柔軟部材の凸部にレバー部材の孔部が係合圧接する形態であり、これも孔部の縁に凸部の周縁部が係合するのであり、幅の狭い線状という部分領域や複数個の点状に並んだ部分領域（孔部の縁が全周に亘らず、飛び飛びに係合する形態等の場合）に相当する。
請求項５では、割りによって凸部の係脱を容易にさせる。
【発明を実施するための最良の形態】
【００１０】
以下、本発明を図面を用いて詳細に説明する。図１は本発明に係るリール装着式釣竿の要部側面図であり、図２は図１の矢視線Ｂ−Ｂによる拡大横断面図、図３はリールＲを取り外した状態の図１に対応する図である。この釣竿は磯竿であり、使用するリールＲはスピニングリールである。エポキシ樹脂等の合成樹脂に炭素繊維等の強化繊維で強化した繊維強化樹脂製の竿管１０の所定位置には、ここでは、合成樹脂製等の筒状のリール固定装置本体部１２Ｈを套嵌接着固定している。この本体部の側面所定位置にはリールの足ＲＦを載置する載置面１２Ｓを形成しており、その径方向反対側には膨出部１２Ｂを設けている。この膨出部は把持感の向上等のためである。
【００１１】
前記載置面の前後には、一方に固定フードＦ２を、他方には移動フードＦ１を配設している。この例では、移動フードが後側である。リール装着部を把持した場合に、把持した手によってフードが不用意に弛められることを防止する観点からは、スピニングリールの使用であるため、移動フードは前後何れであっても同程度である。リール固定装置本体部１２Ｈの左右側部に前後方向に延伸する溝１２Ｍを設けており、これによって移動フードは前後に移動可能である。リールを固定するために、前記載置面の端部に接した領域であって、移動フード側（後側）の領域には、前後方向に凹凸条を繰り返した固定用凹凸部１２ＯＴが形成されており、これに移動フードの後部に設けられている図示しない係止爪が係止して移動フードがその位置に保持され、リールが固定される。
【００１２】
移動フードＦ１は、リールの足ＲＦを受容するフード部を有する移動フード本体Ｈと、該移動フード本体の所定位置の左右方向に伸びる軸Ｊを枢軸として上下方向に回動する起倒自在なレバー部材ＬＢとを有し、このレバー部材を倒伏させることにより、既述の係止爪を固定用凹凸部に係止させられる。また、移動フード本体Ｈは、リールの足に直接接触する柔軟部材ＪＢと、その外皮となるフード本体外皮部ＨＢとを有している。外皮部はステンレス、チタン等の金属、又は、柔軟部材よりも硬い（剛性の高い）合成樹脂で形成している。既述の溝１２Ｍに係合して前後移動を可能にする係合部は、このフード本体外皮部の縁部である。
【００１３】
移動フード本体Ｈのフード本体外皮部ＨＢの側部外側面には、図示の程度の細幅で前後方向に延伸する凹部（この例では凹条とも表現できる）ＨＯが設けられており、これに対応して、レバー部材の側部内側面には、前記凹部と係合できる凸部（この例では凸条ともいえる）ＬＢＴが形成されており、これらの凹凸部は、レバー部材を移動フード本体（のフード本体外皮部）に対して倒伏させると、互いに係合して圧接状態となるような凹凸寸法に形成されている。即ち、通常時のレバー部材の左右の前記凸部の間隔は、移動フード本体のフード本体外皮部の左右の前記凹部近くの外側面間距離よりも少し小さい。また、レバー部材とフード本体外皮部に設ける前記凸部と凹部は逆でも良く、更には、ここでのレバー部材とフード本体外皮部は板部材であるため、各凸部と凹部の形成では、板部材にビードを設けた状態であり、外側面に凹部が設けられれば、その部材の内側面には凸部が形成されている。これらの凹凸部の係合によってレバー部材の弛みが防止される。
【００１４】
図４は本発明に係る他のリール装着式釣竿に使用する移動フードの図であり、（ａ）はレバー部材を起こした状態、即ち、リール足を弛めた状態の側面図であり、（ｂ）はレバー部材を倒伏途中の側面図、（ｃ）は（ｂ）の状態から更に倒伏させ、倒伏完了直前状態の部分縦断面図である。図１〜図３の第１実施形態例との相違点は、移動フードのレバー部材ＬＢの移動フード本体Ｈへの係合圧接を、移動フード本体の柔軟部材ＪＢを使用して行うことである。即ち、柔軟部材はフード本体外皮部ＨＢの開口縁から食み出ており、更にフード本体外皮部の厚さ方向外側（上方）に食み出ており、その食み出し上方部ＪＢＰにレバー部材の縁部が係合圧接し、これによりレバー部材の弛みを防止する。
【００１５】
図５は本発明に係る更に他のリール装着式釣竿に使用する移動フードの図であり、（ａ）はレバー部材を起こした状態、即ち、リール足を弛めた状態の側面図であり、（ｂ）はレバー部材の倒伏完了直前状態の部分縦断面図、（ｃ）は倒伏完了状態の側面図である。この形態例でも、レバー部材ＬＢの移動フード本体Ｈへの係合圧接を柔軟部材ＪＢを使用して行っている。しかし、図４の例とは異なり、柔軟部材の縁部ではなく、柔軟部材広がり面の中央部に、上方に突出するように設けた凸部ＪＢＴを使用している。フード本体外皮部ＨＢの広がり面に設けた孔部ＨＢＨから凸部ＪＢＴを突出させており、この凸部を、レバー部材の対応位置に設けた孔部ＬＢＨに係合圧接させることにより、レバー部材の弛み止めを行う。この場合、係脱を容易にさせるために、凸部の直径線上にスリットＳを設けている。
【００１６】
以上の例と異なり、移動フードが前側に位置していたり、特殊ではあるが、前後のフード共移動フードである釣竿でもよい。また、リール固定装置本体部が筒状ではなく、シート状であってもよい。
【産業上の利用可能性】
【００１７】
本発明は、リールを装着固定する形式の釣竿に利用できる。
【図面の簡単な説明】
【００１８】
【図１】図１は本発明に係るリール装着式釣竿の要部側面図である。
【図２】図２は図１の矢視線Ｂ−Ｂによる拡大横断面図である。
【図３】図３はリールを取り外した状態の図１に対応する図である
【図４】図４は本発明に係る他のリール装着式釣竿に使用の移動フードの図である。
【図５】図５は本発明に係る更に他のリール装着式釣竿に使用の移動フードの図である。
【符号の説明】
【００１９】
１２Ｈ                          リール固定装置本体部
Ｆ１                            移動フード
Ｆ２                            固定フード
Ｈ                              移動フード本体
ＨＢ                            フード本体外皮部
Ｈ０                            フード本体外皮部の凹部
ＪＢ                            柔軟部材
ＬＢ                            レバー部材
ＬＢＴ                          レバー部材の凸部
【図１】
2005237318.tif 000003
【図２】
2005237318.tif 000004
【図３】
2005237318.tif 000005
【図４】
2005237318.tif 000006
【図５】
2005237318.tif 000007